(57)【要約】【課題】小型でありながら、レリーズボタンを押す際の沈み込みを低減し、手ぶれを抑制する。【解決手段】容積が４０〜２４０ｃｃであって、容積対重量比率が１．６〜２．３ｇ／ｃｃであるデジタルカメラを提供する。従来の一般的なコンパクトデジタルカメラの容積対重量比率より十分に大きい容積対重量比率を有し、撮影者に視覚から受ける印象よりも重く感じさせることで、腕の筋肉を緊張させた状態で撮影させ、レリーズボタンを押下することによるデジタルカメラの沈み込みを低減して手ぶれを抑制することができる。【選択図】    なし【特許請求の範囲】
【請求項１】
容積が４０〜２４０ｃｃであって、容積対重量比率が１．６〜２．３ｇ／ｃｃであるデジタルカメラ。
【請求項２】
容積対重量比率が１．８〜２．１ｇ／ｃｃである請求項１に記載のデジタルカメラ。
【請求項３】
容積が４０〜１６０ｃｃであって、容積対重量比率が１．６〜２．５ｇ／ｃｃであるデジタルカメラ。
【請求項４】
カメラ本体と、該カメラ本体に内蔵されるバッテリとを備え、
該バッテリおよびカメラ本体に対する前記バッテリの容積比率が３０〜７５％である請求項１から請求項３のいずれかに記載のデジタルカメラ。
【請求項５】
カメラ本体と、該カメラ本体に内蔵されるバッテリとを備え、
該バッテリおよびカメラ本体に対する前記バッテリの重量比率が５６〜９０％である請求項１から請求項３のいずれかに記載のデジタルカメラ。
【請求項６】
総重量が５００ｇ以下である請求項１から請求項５のいずれかに記載のデジタルカメラ。
【発明の詳細な説明】
【技術分野】
【０００１】
本発明は、デジタルカメラに関するものである。
【背景技術】
【０００２】
従来、１眼レフカメラのような大型のカメラにおいては、重量のあるレンズユニットとのバランスをとるためにボディ重量を比較的重く設計する必要があった。また、このような大型のカメラを用いた撮影は、右手でグリップを把持し、左手でレンズユニット下方を支えるようにして、両手でしっかりと支持された状態で行われる。ボディ重量が大きくなることで、カメラは撮影者の手の中に沈み込むように支持され、撮影者の腕には比較的大きな負荷がかかり筋肉が十分に緊張した状態となる。その結果、撮影者がレリーズボタンを押下することによるボディの沈み込みが小さく、手ぶれの少ない撮影を行うことができる。
【０００３】
これに対して、コンパクトデジタルカメラのように比較的レンズが小さくなってくると、より高い携帯容易性が求められ、カメラは、小型軽量化の一途を辿ることとなった。（例えば、特許文献１参照。）。
【特許文献１】特開２００４−２１９７８９号公報
【発明の開示】
【発明が解決しようとする課題】
【０００４】
しかしながら、カメラが小型軽量化されると、撮影者が片手で把持して撮影することがあるためボディの支持が不十分となる場合がある。また、撮影者が両手で把持する場合においても、重量が小さいために、撮影者の腕にかかる負荷が小さく、腕の筋肉があまり緊張しない状態で撮影が行われることになる。このため、撮影者がレリーズボタンを押下することによるボディの沈み込みが大きく、手ぶれが発生するという不都合がある。
【０００５】
本発明は、上述した事情に鑑みてなされたものであって、小型でありながら、レリーズボタンを押す際の沈み込みを低減し、手ぶれを抑制することができるデジタルカメラを提供することを目的としている。
【課題を解決するための手段】
【０００６】
上記目的を達成するために、本発明は以下の手段を提供する。
本発明は、容積が４０〜２４０ｃｃであって、容積対重量比率が１．６〜２．３ｇ／ｃｃであるデジタルカメラを提供する。
上記発明においては、容積対重量比率が１．８〜２．１ｇ／ｃｃであることが好ましい。
また、本発明は、容積が４０〜１６０ｃｃであって、容積対重量比率が１．６〜２．５ｇ／ｃｃであるデジタルカメラを提供する。
【０００７】
これらの発明によれば、従来の一般的なコンパクトデジタルカメラの容積対重量比率より十分に大きい容積対重量比率を有しているので、撮影者が視覚から受ける印象と、デジタルカメラを実際に手に持ったときの重量感とに不一致を生じさせることができる。その結果、小型でありながら、撮影者に、腕の筋肉を緊張させた状態で撮影させることができ、レリーズボタンを押下することによるデジタルカメラの沈み込みを低減して手ぶれを抑制することができる。
【０００８】
また、上記発明においては、カメラ本体と、該カメラ本体に内蔵されるバッテリとを備え、該バッテリおよびカメラ本体に対する前記バッテリの容積比率が３０〜７５％であることとしてもよい。
また、上記発明においては、カメラ本体と、該カメラ本体に内蔵されるバッテリとを備え、該バッテリおよびカメラ本体に対する前記バッテリの重量比率が５６〜９０％であることとしてもよい。
【０００９】
このようにすることで、カメラ本体の小さく容積を維持しながら、カメラ本体内の空間をバッテリで埋めて重量を重くすることができる。これにより、手ぶれの抑制を図りながら、長時間にわたる撮影あるいは再生を行うことが可能となる。
【００１０】
また、上記発明においては、総重量が５００ｇ以下であることが好ましい。
このようにすることで、腕の疲れを少なくし、長時間撮影でも手ぶれを低減することができる。
【発明の効果】
【００１１】
本発明によれば、小型でありながら、レリーズボタンを押す際の沈み込みを低減し、手ぶれを抑制することができるという効果を奏する。
【発明を実施するための最良の形態】
【００１２】
本発明の一実施形態に係るデジタルカメラについて以下に説明する。
本実施形態に係るデジタルカメラは、カメラ本体と、該カメラ本体に内蔵されるバッテリとを備えている。
【００１３】
カメラ本体は、被写体の像を結像させるレンズユニットと、該レンズユニットにより結像された被写体の像を電気的な画像データに変換する撮像素子と、該撮像素子により取得された画像データに所定の画像処理を施す画像処理部と、画像処理された画像データを表示する液晶ディスプレイ等のモニタと、画像データを記憶するメモリとを備えている。
また、バッテリはカメラ本体に内蔵状態で外部電源により充電可能なものでもよいし、カメラ本体にから取り外してカメラ本体外部において充電可能なものでもよい。
【００１４】
本実施形態に係るデジタルカメラは、その総容積が４０〜２４０ｃｃのいわゆるコンパクトデジタルカメラであり、その容量対重量比率が１．６〜２．３ｇ／ｃｃに設定されている。また、容量対重量比率は１．８〜２．１ｇ／ｃｃであることが好ましい。
したがって、総容積が４０ｃｃの超小型デジタルカメラにおいては、総重量が６４ｇ〜９２ｇ、好ましくは、７２ｇ〜８４ｇである。また、総容積が２４０ｃｃの比較的大きなコンパクトデジタルカメラの場合には、総重量が３８４ｇ〜５５２ｇ、好ましくは、４３２ｇ〜５０４ｇである。
【００１５】
また、本実施形態に係るデジタルカメラは、上記の総容積および総重量を有するとともに、その総容積に占めるバッテリの容積が３０〜７５％に設定されている。また、総重量に占めるバッテリの重量が５６〜９０％に設定されている。
【００１６】
このように構成された本実施形態に係るデジタルカメラによれば、従来の一般的なコンパクトデジタルカメラの容量対重量比率より十分に大きな容量対重量比率を有しているので、撮影者が視覚から受ける印象と、デジタルカメラを実際に手に持ったときの重量感とに不一致を生じさせることができる。
すなわち、撮影者がデジタルカメラを手に持ったときに、視覚から受ける印象よりも重く感じさせることができ、撮影者の腕の筋肉を適度に緊張させることができる。
【００１７】
その結果、本実施形態に係るデジタルカメラによれば、適度に緊張された腕によりしっかりと支持された状態で撮影が行われることになり、レリーズボタンを押下しても、カメラ本体が沈み込むことを抑制して手ぶれの少ない画像を取得することができるという利点がある。
また、本実施形態に係るデジタルカメラによれば、容量対重量比率を従来のものより増大させるために、バッテリの占有率を増加させることにしているので、バッテリ容量を増大させることができ、その結果、長時間にわたる撮影および再生を可能とすることができる。
【００１８】
ここで、コンパクトデジタルカメラと複数種の金属プレートとを用いた検証実験について説明する。
表１に示されるように、従来の２種類のコンパクトデジタルカメラＡ，Ｂと、複数種の金属プレートをそれぞれ取り付けた模擬的なデジタルカメラＡ１〜Ａ４，Ｂ１〜Ｂ４とを用いて、１０名の撮影者によりそれぞれ１０ショットずつ撮影した。
【００１９】
【表１】
2008076951.tif 000002
【００２０】
撮影条件は、パーティ会場でフラッシュなし、レンズ画角は３５ｍｍフィルム５０ｍｍ相当、シャッタ速度は１／３０秒とした。この撮影条件で撮影された合計１０００ショットに対し手ぶれと思われるショット数を計数すると表２の通りであった。
【００２１】
【表２】
2008076951.tif 000003
【００２２】
この表２によれば、容積が４０〜１６０ｃｃのデジタルカメラＡの場合、容積対重量比率（比重）が１．６〜２．５の場合に良好な手ぶれ抑制効果が見られ、容積が１６０〜２４０ｃｃのデジタルカメラＢの場合、容積対重量比率が１．６〜２．０の場合に良好な手ぶれ抑制効果が見られた。全体として、容積４０〜２４０ｃｃのデジタルカメラにおいて、容積対重量比率が１．６〜２．１程度であれば、良好な手ぶれ抑制効果を得ることができると考えられる。
【００２３】
そして、容積４０〜２４０ｃｃのデジタルカメラにおいて上記条件を満たすバッテリについて検討すると、表３の通りとなる。表３はバッテリの比重として２．５ｇ／ｃｃの場合と、３．０ｇ／ｃｃの場合の両方について示している。
【００２４】
【表３】
2008076951.tif 000004
【００２５】
これによれば、バッテリを含むデジタルカメラ全体の容積または重量に対するバッテリの容積または重量の比率を示した容積比率および重量比率は、容積比率が３０〜７５％、重量比率が５６〜９０％のときに良好な手ぶれ抑制効果を得ることができると考えられる。
【００２６】
なお、表１および表２において、デジタルカメラＢ４は総重量が大きいにもかかわらず、手ぶれ抑制効果が低いのは、長時間撮影による手の疲れによるものと考えられる。このため、総重量が５００ｇ以下のデジタルカメラであることが好ましい。